(57)【要約】【課題】廃プラスチックスクラップの粉砕過程で発生するスクラップに混合された粉塵を除去することにより粉塵がダスト筒体に収去される過程で、ダスト筒体の内部に備えられたサイクロンフィルターを介してフィルタリングされて収去されるため、外部へ排出される空気をより清潔にすることができるうえ、粉塵の吸入されるダスト吸入口を偏心するように設けることにより吸入エアのサイクロン現象が発生して、吸入管を介して吸入される粉塵の吸入力を大幅向上させることができ、磁石をさらに構成して、粉砕されたスクラップに含まれた金属が磁石の磁力によって選別されるようにすることにより、更なる金属選別工程を省略することができるようにする、プラスチックスクラップに混合された粉塵を除去するための装置を提供すること。【解決手段】上部にプラスチックスクラップの投入されるホッパー（１１）を備えるハウジング体（１０）と、前記ハウジング体（１０）の下部に連結され、投入されたスクラップが内部に落下し、下部に残量排出口（２１）、該残量排出口（２１）の一側にダスト吸入口（２２）がそれぞれ穿設されたスクラップ移動体（２０）と、前記スクラップ移動体（２０）の内部に構成され、駆動モーター（３１）に連結されて前記駆動モーター（３１）の回転力によって回転するように前記スクラップ移動体（２０）の残量排出口（２１）に位置する粉砕刃（３２）、および前記ダスト吸入口（２２）に位置するスクリュー（３３）がそれぞれ軸設された移送体（３０）と、前記駆動モーター（３１）に対応する方向に位置する前記スクラップ移動体（２０）の一側外面に嵌められ、前記スクラップ移動体（２０）のダスト吸入口（２２）に設けられる吸入網体（４０）と、前記吸入網体（４０）の外側に結合し、粉砕されたスクラップをガイドするスクラップガイド（４１）と、前記スクラップガイド（４１）に連結され、スクラップガイド（４１）を介して排出されるスクラップを収去するスクラップ収去体（５０）と、前記スクラップ移動体（２０）のダスト吸入口（２２）の一側が連結されるダスト吸入管（６１）と、前記ダスト吸入管（６１）の他側が連結され、内部にサイクロンフィルターを備えるダスト筒体（６０）と、前記ダスト筒体（６０）に一側が連結される真空吸入管（７１）と、前記真空吸入管（７１）の他側が連結される真空吸入体（７０）とを備える。【選択図】図１
2014529534.tif 000002
【特許請求の範囲】
【請求項１】
上部にプラスチックスクラップの投入されるホッパー（１１）を備えるハウジング体（１０）と、
前記ハウジング体（１０）の下部に連結され、投入されたスクラップが内部に落下し、下部に残量排出口（２１）、該残量排出口（２１）の一側にダスト吸入口（２２）がそれぞれ穿設されたスクラップ移動体（２０）と、
前記スクラップ移動体（２０）の内部で、駆動モーター（３１）に連結されて前記駆動モーター（３１）の回転力によって回転し、前記スクラップ移動体（２０）の内部に投入されたスクラップを移送させるようにスクリュー（３２）が軸設された移送体（３０）と、
前記駆動モーター（３１）に対応する方向に位置する前記スクラップ移動体（２０）の一側外面に嵌められ、前記スクラップ移動体（２０）のダスト吸入口（２２）に設けられる吸入網体（４０）と、
前記吸入網体（４０）の外側に結合し、粉砕されたスクラップをガイドするスクラップガイド（４１）と、
前記スクラップガイド（４１）に連結され、スクラップガイド（４１）を介して排出されるスクラップを収去するスクラップ収去体（５０）と、
前記スクラップ移動体（２０）のダスト吸入口（２２）に一側が連結されるダスト吸入管（６１）と、
前記ダスト吸入管（６１）の他側が連結され、内部にサイクロンフィルターを備えるダスト筒体（６０）と、
前記ダスト筒体（６０）に一側が連結される真空吸入管（７１）と、
前記真空吸入管（７１）の他側が連結される真空吸入体（７０）と、を備える
ことを特徴とするプラスチックスクラップ混合粉塵の除去装置。
【請求項２】
前記真空吸入管（７１）には、内部に排気フィルターを備えた排気口フィルター体（８０）が連結される
請求項１に記載の混合粉塵の除去装置。
【請求項３】
前記スクラップ移動体（２０）の残量排出口（２１）には、前記スクラップ収去体（５０）に連結される残量排出管（５１）が連結される
請求項１に記載の混合粉塵の除去装置。
【請求項４】
前記ダスト吸入口（２２）に一側が連結された前記ダスト吸入管（６１）を介して吸入される吸入エアのサイクロン（ｃｙｃｌｏｎｅ）現象が発生してダスト吸入力が増加するように、前記ダスト吸入口（２２）は、前記スクラップ移動体（２０）の内部に備えられる前記移送体（３０）から一側に偏心するように設けられる
請求項１に記載の混合粉塵の除去装置。
【請求項５】
前記スクラップガイド（４１）には、該スクラップガイド（４１）に沿ってガイドされて前記スクラップ収去体（５０）に収去されるスクラップに含まれた金属をフィルタリングする磁石（４２）が備えられる
請求項１に記載の混合粉塵の除去装置。
【発明の詳細な説明】
【技術分野】
【０００１】
本発明は、プラスチックスクラップに混合された粉塵を除去するための装置に係り、詳しくは、廃プラスチックの粉砕過程で発生する粉塵の除去がサイクロンフィルター付きダスト筒によって容易に行われるようにし、除去される粉塵を収去し、かつ、排気される空気への粉塵の混入を防止してクリーンな空気が排気されるようにするうえ、ダスト吸入口を偏心するように構成してダストの吸入時にサイクロン効果が得られるようにすることにより、ダストの吸入力を向上させることができるようにしたプラスチックスクラップに混合された粉塵を除去するための装置に関する。
【背景技術】
【０００２】
一般に、プラスチックは、初期に金属、木材、ガラス、陶器、皮革などの代用品として登場したが、軽量化、強靭性、耐腐食性、着色性および量産可能性などだけでなく、卓越した加工性を持つから、電気、電子、機械、建築、その他の分野で必須的な材料であって、代用品ではなく新しい材料としての確固たる位置を占めるに至っている。
このようなプラスチックは成形の容易性により多様な分野で活用されるが、活用分野が多い分だけ、活用されてから捨てられた廃プラスチックの処理が非常に深刻な問題となっている。
【０００３】
また、一般家庭の生活ゴミを始めとして産業ゴミから発生するプラスチック廃棄物は、その処理において、今まで深刻な問題を引き起こしてきた。プラスチック廃棄物は、１次に分離されて収去されるが、これを適切にリサイクルすることは殆ど不可能な実情である。プラスチック廃棄物は今まで埋立地を選定して埋め立ててきている。
このため、廃プラスチックを用いて製品を生産することにより、廃プラスチックの発生を抑制しており、脱色し、生産しようとする製品の色に合わせて着色してプラスチック製品の生産にリサイクルすることにより、プラスチック廃棄物の埋立による各種水質汚染と土壌汚染を予防するのはもとより、埋立場の選定による難しさを解決しており、プラスチック製品の生産のために輸入される莫大な量のプラスチック原料を代替して外貨を節約する効果を得ている。
【０００４】
また、プラスチック製品の射出成形の際には、製品を成形するときにスプルーおよびランナーが発生するが、これらはスクラップ（ｓｃｒａｐ）として処理されている。
こうして発生するスクラップは排気処理されるか、或いは新しい材料と混合してリサイクルするが、安定した混合のために、スクラップを粉砕器によって粉砕して小さな粒にした後、この粉砕物を新しい材料と配合して使用する。
【０００５】
ところが、スクラップを粉砕して混合する過程で微細な塵のようなプラスチック粉塵が発生するが、この粉塵が混合物に混合されて含有された状態で成形が行われることがある。この場合、製品に気泡が発生し或いは製品の表面状態が不安定であり、結果として製品の強度などの物性を低下させるから、廃棄し或いは手作業（濾過網を用いて）で粉塵を除去して使用している実情である。
これは粉塵除去率も低下させ、周囲環境を汚染させて作業者の健康を害するおそれがある。さらに、生産性を低下させて原材料の費用および管理費をアップさせる悪循環をもたらしている。
【０００６】
一方、このような問題点を解決するために、特許文献１には、プラスチックスクラップの粉塵収去装置が開示されている。このプラスチックスクラップの粉塵収去装置は、粉砕機から粉砕された廃プラスチックを供給されるように注入口が上側の一端に設けられているホッパーと、ダンパーによってホッパーとの開閉が行われるように前記ホッパーの下側に連結されており、粉塵が落下するように底面が打孔板で出来ており、一側の下端にはスクラップ排出口が設けられている円筒状の分離室と、前記分離室のスクラップ排出口に連結され、シャッターによって開閉が行われながら排出されるスクラップを収納するスクラップ収去筒と、前記分離室の下端から下側に行くほど狭くなる形状をし、下端には粉塵排出口が設けられ、前記分離室から落下する粉塵を収納する粉塵収去室と、前記分離室を地面から支持するフレームとから構成されている。
このように構成された従来の技術では、プラスチックスクラップをリサイクルするための粉砕の際に発生する粉塵を安定的に収去して処理することができ、狭い空間でも設置して使用することができるうえ、作業人員数を大幅減らすことができ、クリーンな環境を維持することができるなどの有用な効果を期待している。
【０００７】
ところが、特許文献１は、構成が複雑であるため、製造コストが高いという問題点があり、これにより設置費用が増加するという問題点もある。
それだけでなく、プラスチックの粉砕過程でプラスチックに含まれた金属が全く濾過されないことにより、粉砕されたプラスチックスクラップの再使用の際に金属を別に分離する作業がさらに行われなければならないという問題点がある。
しかも、プラスチックスクラップの粉砕の際に発生する粉塵が打孔板による自然落下によって除去されるため、粉塵の除去作業性が大きく低下するという問題点がある。
【先行技術文献】
【特許文献】
【０００８】
【特許文献１】韓国公開特許第１０−２０１１−００３７５３５号
【発明の概要】
【発明が解決しようとする課題】
【０００９】
本発明は、従来の廃プラスチックスクラップを粉砕するときに発生する粉塵を除去することにより引き起こされる問題点を解決するためになされたもので、その目的は、スクラップの粉砕の際に発生する粉塵が吸入体によって強制吸入されるようにし、吸入体にダスト筒を連結するが、ダスト筒の内部にサイクロンフィルター（ｃｙｃｌｏｎｅ ｆｉｌｔｅｒ）を備えることにより、サイクロンフィルターによる粉塵のフィルタリングが行われるようにして、外部へ排気される空気をより清潔に維持することができるようにするうえ、磁石をさらに構成することにより、 粉砕されたスクラップに含まれた金属が磁石の磁力によって選別されるようにして、更なる金属選別工程を省略することができるようにし、粉塵の吸入されるダスト吸入口を偏心するように構成してサイクロンエアが発生するようにすることにより、粉塵の吸入力を大幅向上させることができるようにした、プラスチックスクラップに混合された粉塵を除去するための装置を提供することにある。
【課題を解決するための手段】
【００１０】
上記目的を達成するため、本発明に係るプラスチックスクラップに混合された粉塵を除去するための装置は、上部にプラスチックスクラップの投入されるホッパーを備えるハウジング体と、前記ハウジング体の下部に連結され、投入されたスクラップが内部に落下し、下部に残量排出口、該残量排出口の一側にダスト吸入口がそれぞれ穿設されたスクラップ移動体と、前記スクラップ移動体の内部に構成され、駆動モーターに連結されて前記駆動モーターの回転力によって回転し、前記スクラップ移動体の内部に投入されたスクラップを移送させるようにスクリューが軸設された移送体と、前記駆動モーターに対応する方向に位置する前記スクラップ移動体の一側外面に嵌められ、前記スクラップ移動体のダスト吸入口に設けられる吸入網体と、前記吸入網体の外側に結合し、粉砕されたスクラップをガイドするスクラップガイドと、前記スクラップガイドに連結され、スクラップガイドを介して排出されるスクラップを収去するスクラップ収去体と、前記スクラップ移動体のダスト吸入口に一側が連結されるダスト吸入管と、前記ダスト吸入管の他側が連結され、内部にサイクロンフィルターを備えるダスト筒体と、前記ダスト筒体に一側が連結される真空吸入管と、前記真空吸入管の他側が連結される真空吸入体とを含んでなる。
【００１１】
前記真空吸入管には、内部に排気フィルターを備えた排気口フィルター体がさらに連結される。
また、前記スクラップ移動体の残量排出口には、前記スクラップ収去体に連結される残量排出管がさらに連結される。
また、前記ダスト吸入口に連結されたダスト吸入管によって吸入される吸入エアのサイクロン（ｃｙｃｌｏｎｅ）現象が発生してダスト吸入力が増加するように、前記ダスト吸入口は、前記スクラップ移動体の内部に備えられる前記移送体から一側に偏心するように設けられる。
また、前記スクラップガイドには、このスクラップガイドに沿ってガイドされて前記スクラップ収去体側に収去されるスクラップに含まれた金属をフィルタリングする磁石がさらに備えられる。
【発明の効果】
【００１２】
本発明によれば、廃プラスチックスクラップの粉砕過程で発生するスクラップに混合された粉塵を除去することにより粉塵がダスト筒体に収去される過程で、ダスト筒体の内部に備えられたサイクロンフィルターを介してフィルタリングされて収去されるため、外部へ排出される空気をより清潔にすることができるうえ、粉塵の吸入されるダスト吸入口を偏心するように設けることにより吸入エアのサイクロン現象が発生して、吸入管を介して吸入される粉塵の吸入力を大幅向上させることができ、磁石をさらに構成して、粉砕されたスクラップに含まれた金属が磁石の磁力によって選別されるようにすることにより、更なる金属選別工程を省略することができるようにするという効果が期待される。
【図面の簡単な説明】
【００１３】
【図１】本発明に係るプラスチックスクラップに混合された粉塵を除去するための装置の斜視図
【図２】本発明に係るプラスチックスクラップに混合された粉塵を除去するための装置の構成を示す構成図
【図３】本発明に係るプラスチックスクラップに混合された粉塵を除去するための装置の構成を示す平面構成図
【図４】本発明に係るプラスチックスクラップに混合された粉塵を除去するための装置の構成要部を示す平面構成図
【図５】本発明に係るプラスチックスクラップに混合された粉塵を除去するための装置の構成要部を示す分解斜視図
【図６】本発明に係るプラスチックスクラップに混合された粉塵を除去するための装置の構成要部を示す一部省略構成図
【図７】本発明に係るプラスチックスクラップに混合された粉塵を除去するための装置の別の構成要部を示す構成図
【発明を実施するための形態】
【００１４】
以下、本発明の構成および作用を添付図面に基づいてさらに具体的に説明する。本発明を説明するにあたり、本明細書および請求の範囲に使用された用語または単語は、最善の方法で説明するために用語の概念を適切に定義することができるという原則に基づき、本発明の技術的思想に符合する意味と概念である。
【００１５】
図示のように、本発明に係るプラスチックスクラップに混合された粉塵を除去するための装置は、上部にプラスチックスクラップの投入されるホッパー１１を備えるハウジング体１０と、前記ハウジング体１０の下部に連結され、投入されたスクラップが内部に落下し、下部に残量排出口２１、該残量排出口２１の一側にダスト吸入口２２がそれぞれ穿設されたスクラップ移動体２０と、前記スクラップ移動体２０の内部に構成され、駆動モーター３１に連結されて前記駆動モーター３１の回転力によって回転し、前記スクラップ移動体２０の内部に投入されたスクラップを移送させるようにスクリュー３２が軸設された移送体３０と、前記駆動モーター３１に対応する方向に位置する前記スクラップ移動体２０の一側外面に嵌められ、前記スクラップ移動体２０のダスト吸入口２２に設けられる吸入網体４０と、前記吸入網体４０の外側に結合し、粉砕されたスクラップをガイドするスクラップガイド４１と、前記スクラップガイド４１に連結され、スクラップガイド４１を介して排出されるスクラップを収去するスクラップ収去体５０と、前記スクラップ移動体２０のダスト吸入口２２に一側が連結されるダスト吸入管６１と、前記ダスト吸入管６１の他側が連結され、内部にサイクロンフィルター６０ａを備えるダスト筒体６０と、前記ダスト筒体６０に一側が連結される真空吸入管７１と、前記真空吸入管７１の他側が連結される真空吸入体７０とを含んでなる。
【００１６】
このように構成される本発明は、前記ホッパー１１の内部側にプラスチックスクラップが投入され、このホッパー１１の下部に連結された前記スクラップ移動体２０の内部へ投入されたスクラップが落下する。
また、スクラップ移動体２０の内部に落下したスクラップは、前記スクラップ移動体２０の内部に構成された移送体３０の粉砕刃３２によって粉砕され、粉砕されたスクラップは、前記移送体３０のスクリュー３３によって前記スクラップガイド４１側へ移動する。
また、スクラップガイド４１側に移動したスクラップは自然落下し、前記スクラップガイド４１と連結されたスクラップ収去体５０の内部に落下してスクラップが収去される。
【００１７】
このようにスクラップが収去される過程で発生するスクラップ粉塵は、前記スクラップ移動体２０のダスト吸入口２２に連結されたダスト吸入管６１の吸入力によって吸入される。すなわち、前記ダスト吸入管６１が、前記真空吸入体７０に連結されたダスト筒体６０に連結されていることにより、真空吸入体７０の真空吸入力によってダスト吸入管６１に吸入力が伝達されて前記ダスト吸入口６１を介してスクラップ粉塵が吸入される。
この際、前記ダスト吸入口６１に設けられている吸入網体４０のメッシュによってダスト吸入口６１側へスクラップ粉塵のみが吸入され、スクラップはそのままスクラップガイド４１によってガイドされてスクラップ収去体５０に収去される。
【００１８】
また、前記ダスト吸入管６１を介して吸入されたスクラップ粉塵は、前記ダスト筒体６０に備えられたサイクロンフィルター６０ａによってフィルタリングされてダスト筒体６０に収去されるため、外部へ排出される空気へのスクラップ粉塵の混入が防止できる。
前記ダスト吸入口２２に一側が連結された前記ダスト吸入管６１を介して吸入される吸入エアのサイクロン（ｃｙｃｌｏｎｅ）現象が発生してダスト吸入力が増加するように、前記ダスト吸入口２２は、前記スクラップ移動体２０の内部に備えられる前記移送体３０から一側に偏心するように設けられている。
これにより、前記スクラップ移動体２０の内部に構成される前記移送体３０の中心ａから前記ダスト吸入口２２が偏心しているから、前記ダスト吸入口２２に連結されたダスト吸入管６１の吸入エアがサイクロン現象を起こしてダストの吸入力がさらに向上する。
【００１９】
前記真空吸入管７１には、内部に排気フィルターを備えた排気口フィルター体８０がさらに連結されている。
よって、外部へ空気を排出する過程で前記排気口フィルター体８０によってもう１回フィルタリングされるから、よりクリーンで清潔な状態の空気を排出することができて作業者の呼吸器疾患の発生を防止するのはもとより、空気汚染を最小化することができて作業与件の向上と共に環境に優しい効果を得ることができる。
【００２０】
前記スクラップ移動体２０の残量排出口２１には、前記スクラップ収去体５０に連結される残量排出管５１がさらに連結されている。
前記残量排出管５１は、前記スクラップ収去体５０に連結されることにより、前記スクラップ移動体２０の内部に構成された移送体３０によって前記スクラップガイド４１側へ移動されなかった残量のスクラップが、前記残量排出口２１に連結された残量排出管５１を介して排出されて前記スクラップ収去体５０に収去されるため、スクラップ収去作業性がさらに向上する。
【００２１】
また、前記スクラップガイド４１には、このスクラップガイド４１に沿ってガイドされて前記スクラップ収去体５０に収去されるスクラップに含まれた金属をフィルタリングする磁石４２がさらに備えられている。
したがって、前記スクラップガイド４１によってガイドされて前記スクラップ収去体５０にスクラップが収去される過程で、スクラップに含まれた金属が前記磁石４２にくっ付くことにより金属選別作業が自動的に行われるため、スクラップ原料の金属選別作業工程をさらに行わなくてもよい。
【００２２】
このように、本発明は様々に変形実施が可能なものであって、本発明の好適な実施例を挙げて説明したが、本発明はこれらの実施例に限定されるものではない。これらの実施例を既存の公知の技術と単純に組み合わせて適用した実施例だけでなく、本発明の請求の範囲および詳細な説明で本発明の属する技術分野における当業者が変形させて利用することが可能な技術は、本発明の技術範囲に当然含まれる。
【産業上の利用可能性】
【００２３】
本発明は、廃プラスチックの粉砕過程で発生する粉塵の除去がサイクロンフィルター付きダスト筒によって容易に行われるようにし、除去される粉塵を収去しかつ排気される空気への粉塵の混入を防止してクリーンな空気が排気されるようにするうえ、ダスト吸入口を偏心するように構成してダストの吸入時にサイクロン効果が得られるようにすることにより、ダストの吸入力を向上させることができるから、プラスチックスクラップに混合された粉塵を除去するための産業分野に広く利用可能である。
【図１】
2014529534.tif 000003
【図２】
2014529534.tif 000004
【図３】
2014529534.tif 000005
【図４】
2014529534.tif 000006
【図５】
2014529534.tif 000007
【図６】
2014529534.tif 000008
【図７】
2014529534.tif 000009
【国際調査報告】
2014529534.tif 000010
2014529534.tif 000011
2014529534.tif 000012
2014529534.tif 000013